(57)【要約】【課題】クラウドサービスに基づく環境温度制御装置を提供すること。【解決手段】少なくとも一つのクラウド基地システムと、一つの制御ユニットとを含み、クラウド基地システムは制御ユニットの環境データを設定することに用いられ、制御ユニットは少なくともセンサーと、電気ドア・窓及び空調装置に接続し、制御ユニットによって、クラウド基地システムで設定された環境データを解析し、センサーの検知値に対応して、アクセスコマンドを電気ドア・窓及び空調装置に伝送し、電気ドア・窓及び空調装置を制御し、環境変化に基づいて、onまたはoffにさせ、環境温度制御の目的を達成すると共に、使用記録をクラウド基地システムにアップロード及び格納・保存することで、いつでも閲覧できるようにする。【選択図】図１
2016042011.tif 000002
【特許請求の範囲】
【請求項１】
少なくとも一つのクラウド基地システムと、一つの制御ユニットとを含む、クラウドサービスに基づく環境温度制御装置であって、
前記クラウド基地システムは前記制御ユニットの環境データを設定することに用いられ、前記制御ユニットが少なくともセンサーと、電気ドア・窓及び空調装置に接続され、前記制御ユニットにより前記クラウド基地システムで設定された環境データを解析し、かつ前記センサーの検知値に対応して、アクセスコマンドを電気ドア・窓及び空調装置に伝送することで、前記電気ドア・窓と前記空調装置を制御し、環境変化に基づいてonまたはoffにさせ、それによって環境温度制御の目的を達成すると共に、使用記録をクラウド基地システムにアップロード及び格納・保存することで、いつでも閲覧できるようにすることを特徴とする、クラウドサービスに基づく環境温度制御装置。
【請求項２】
前記制御ユニットに接続される前記センサーは温度検知センサー、湿度検知センサー、水気検知センサー、空気検知センサーと、風速検知センサーであることを特徴とする、請求項１記載のクラウドサービスに基づく環境温度制御装置。
【請求項３】
前記クラウド基地システムと前記制御ユニットとの間は、インターネットなどの通信装置によって接続が構成されることを特徴とする、請求項１記載のクラウドサービスに基づく環境温度制御装置。
【請求項４】
さらに、スマートフォンを用いて、前記クラウド基地システムから前記制御ユニットのアドレスを取得し、遠隔で被制御端末を制御することを特徴とする、請求項１記載のクラウドサービスに基づく環境温度制御装置。
【請求項５】
前記クラウド基地システムはコンピュータまたは前記スマートフォンの接続により、前記被制御端末末使用の履歴記録を閲覧することを特徴とする、請求項１記載のクラウドサービスに基づく環境温度制御装置。
【発明の詳細な説明】
【技術分野】
【０００１】
本発明はクラウドサービスに基づく環境温度制御装置に関し、特にクラウド基地システムで設定された環境データによって、電気ドア・窓及び空調装置を環境変化に基づき、onまたはoff制御により、環境温度制御の目的を達成するクラウドサービスに基づく環境温度制御装置に関する。
【背景技術】
【０００２】
クラウドはそもそも一種のインターネットモードであり、サービス側で複数のクライアント側と接続し、ファイルがサービス側に格納され、ソフトウェアと、ハードウェアのリソースと、ネットワークのアプリケーションを共有することによって、クライアント側からいつでもどこでもブラウザーやクラウドソフトウェアまたはＷｅｂサービスを介して、サービス側に格納されたソフトウェア及びデータにアクセスまたは実行することができる。さらに、実行するときはサービス側を介して演算を行い、その結果をクライアントに伝送することによって、クライアント側のシステム容量及び演算負荷を軽減する。しかし、既存のクラウドはサービス側と複数のクライアント側との間でのファイルアクセスと実行にとどまり、ファイルアクセスと実行しか機能せず、遠隔地で相互制御することはできない。
【発明の概要】
【発明が解決しようとする課題】
【０００３】
現在の空調装置に対する制御は個別に行われ、室温に従って冷暖房装置の温度を調節することはできるが、室外の温度が適正温度または体に相応しくないときは、室外の温度変化に従って、空調装置の起動または停止をすることはできず、使用者が赤外線方式などの方法で制御しなければならない。さらに、ドア・窓の開閉動作を合わせて制御することができない。よって、資源の浪費や財務支出の増加にとなる。よって、発明者は研究、実験を繰り返した結果、クラウドサービスに基づく監視制御装置の改良に着手し、特にクラウドサービスに基づく監視制御装置を発明し環境温度の制御を図ることとした。
【課題を解決するための手段】
【０００４】
本発明の主な目的は、クラウド基地システムで設定された環境データによって、電気ドア・窓及び空調装置を環境の変化に従って、onまたはoffにする制御を行い、環境温度制御の目的を達成し、クラウドサービスに基づく環境温度制御装置を提供することである。
【０００５】
前述のクラウドサービスに基づく環境温度制御装置は、少なくとも一つのクラウド基地システムと、一つの制御ユニットとを含み、クラウド基地システムは制御ユニットの環境データを設定することに用いられ、制御ユニットは少なくともセンサーと、電気ドア・窓及び空調装置に接続し、制御ユニットによって、クラウド基地システムで設定された環境データを解析し、センサーの検知値に対応して、アクセスコマンドを電気ドア・窓及び空調装置に伝送し、係る電気ドア・窓及び空調装置を制御し、環境変化に基づいて、onまたはoffにさせ、環境温度制御の目的を達成すると共に、使用記録をクラウド基地システムにアップロード及び格納・保存することで、いつでも閲覧できるようにする。
【０００６】
前述のクラウドサービスに基づく監視制御装置では、クラウド基地システムと制御ユニットとの間は、インターネットなどの通信装置によって接続が構成される。
前述のクラウドサービスに基づく監視制御装置は、スマートフォンを利用して、クラウド基地システムより制御ユニットのアドレスを取得し、近くの場所または遠隔地にある電気ドア・窓及び空調装置の制御を実行する。
【図面の簡単な説明】
【０００７】
【図１】本発明の立体図である。
【図２】本発明のブロック図である。
【図３】本実施例による電動窓の好ましい実施構造図である。
【図４】本発明の動作フロー図である。
【発明を実施するための形態】
【実施例】
【０００８】
図１と２を合わせて参照する。図に示すように、本発明は少なくとも一つのクラウド基地システム１と、一つの制御ユニット２とを含む。そのうち、クラウド基地システム１は制御ユニット２の環境データの設定に用いられ、制御ユニット２は少なくともセンサー３と、電気ドア・窓４と、空調装置５に接続していて、制御ユニット２によって、クラウド基地システム１で設定された環境データを解析し、センサー３の検知値に対応したアクセスコマンドを電気ドア・窓４及び空調装置５に伝送して、電気ドア・窓４と空調装置５を制御し環境の変化に従って、onまたはoffにさせ環境温度制御の目的を実現し、居住環境をより快適にするほかに、使用の記録をアップロードしてクラウド基地システム１に格納し、いつでも閲覧できるようにする。
【０００９】
前述のとおり、本発明のクラウド基地システム１と制御ユニット２との間には、インターネットなどの通信装置６によって接続が構成され、制御ユニット２は組織部門、学校、チェーン店、会社、企業、民宿、ホテルなどの公共場所あるいは一般家庭に設置され、センサー３と、電気ドア・窓４と、空調装置５との接続に用いられる。本実施例において、センサー３は例えば温度検知センサー３ａ、湿度検知センサー３ｂ、水気検知センサー３ｃ、空気検知センサー３ｄまたは風速検知センサー３ｅなどであり、室内と室外の環境変化を検出することができる。
【００１０】
クラウド基地システム１は電気ドア・窓４と空調装置５を開放、起動と閉鎖、停止するための温度設定（例えば室外温度が何度のときに空調装置５を起動させ、温度が何度のときに空調装置５を停止し、電気ドア・窓４を開放する）など、制御ユニット２の環境データの設定に用いられる。制御ユニット２によって、クラウド基地システム１で設定された環境データを解析し、環境データに対応したアクセスコマンドを電気ドア・窓４と空調装置５に伝送することによって、電気ドア・窓４と空調装置５を環境データに基づいて、onまたはoffにし室内環境の快適性を維持する。さらに、電気ドア・窓４と空調装置５がスマートフォン７を近くの場所で制御（赤外線またはＷｉ−Ｆｉ接続による制御）することによって、スケジュール制御を実現し無駄な使用による資源の浪費や財務支出を防げる。本発明はさらにスマートフォン７を用いて、クラウド基地システム１から制御ユニット２のアドレスを取得して、遠隔で電気ドア・窓４と空調装置５の制御を実現することもできる。
【００１１】
引き続き図３、本発明における電気窓の好ましい実施例の構造図を参照する。図１を合わせて参照する。図に示すように、本発明の電気ドア・窓４は自動窓を例示されている。プランジャー４１を有し、プランジャー４１の一端を窓枠４２に接続しプランジャー４１の他端を歯車４３に接続し、歯車４３をモーター４４の駆動輪４５に噛み合わせて置き、モーター４４を制御ユニット２に接続し、制御ユニット２によって、クラウド基地システム１で設定された環境データを解析し、環境データに対応してアクセスコマンドを電気ドア・窓４のモーター４４に伝送し、モーター４４の正逆転を制御することによって、プランジャー４１が窓枠４２を押し出しまたは引き戻して、自動窓４の開閉制御を構成する。
【００１２】
引き続き図４では、本発明の使用態様図を参照する。図に示すように、本発明は主に以下の動作フローを含む。
【００１３】
１． クラウド基地システム１から、制御ユニット２の環境データを設定する。
【００１４】
２． 制御ユニット２によって、クラウド基地システム１で設定された環境データを解析し、アクセスコマンドを実行して電気ドア・窓４と空調装置５のonまたはoffを制御することによって、室内環境の快適性が確保される。
【００１５】
３． 制御ユニット２によって、使用記録をクラウド基地システム１にアップロード及び格納する。
【００１６】
４． 使用者はいつでも、クラウド基地システム１から電気ドア・窓４と空調装置５の使用記録を閲覧することができる。
【００１７】
本発明のさらなるの理解を図るため、制御に関する実施例を以下のとおり説明する。主な点は、
【００１８】
１． 温度検知センサー３ａによって、室外温度が設定値より高いことを検出された場合は、制御ユニット２によって、電気ドア・窓４を閉めると同時に空調装置５を起動させる。これに対して、室外温度が設定値より低いことが検出された場合には、制御ユニット２によって空調装置５を停止すると同時に電気ドア・窓４を開放し、室内環境の快適性が確保される。
【００１９】
２． そして、湿度検知センサー３ｂによって、室内の湿度が設定値より高いと検出された場合は、制御ユニット２が電気ドア・窓４の開放と空調装置５の起動を合わせて実行し、室内の湿度を引き下げて、環境をより快適にすることができる。
【００２０】
３． 水気検知センサー３ｃによって、室外で雨が降っていることが検出された場合は、空調装置５が起動されているか否かにかかわらず、制御ユニット２によって、電気ドア・窓４を閉めて、雨水が室内へ侵入することを防げると同時に、室内温度に基づいて、制御ユニット２によって、空調装置５を起動させるかどうかを判断し、室内環境の快適性を確保する。
【００２１】
４． 空気検知センサー３ｄによって、室外空気の品質が芳しくないことを検出された場合は、制御ユニット２によって、電気ドア・窓４を閉めて、室内に汚い空気が進入することを防げる。これに対して、空気検知センサー３ｄによって、室内の空気が芳しくないことが検出された場合は、制御ユニット２によって電気ドア・窓４を開放し、汚い空気を室外に排出させると同時に空調装置５を起動させる。
【００２２】
５． そして、センサー３ｅによって、室外の風が強すぎることが検出された場合は、制御ユニット２によって、電気ドア・窓４を閉めて、風の侵入を防ぐと同時に空調装置５を起動させる。
【００２３】
６． 前述した１〜５のステップは、スマートフォン７を用いて近くの場所（例えば、室内）から制御することもできる。
【００２４】
７． スマートフォン７はクラウド基地システム１より制御ユニット２のアドレスを取得し、クラウド基地システム１から遠隔で電気ドア・窓４と空調装置５を制御する。
【００２５】
８． スマートフォン５（またはコンピューター）を用いて、クラウド基地システム１から電気ドア・窓４と空調装置５の使用履歴記録及び各センサー３の検出箇所の温度、湿度、水、風速などの記録、使用記録及び電気使用量記録を検索し、部門別または装置別に時間単位（日、週、月、四半期、年及び特定時間）のレポートを出力印字することができる。
【００２６】
以上に説明したとおり、本発明はクラウド基地システムと制御ユニットを備え、クラウド基地システムから制御ユニットの環境データを設定し、クラウドサービスに基づく環境温度制御装置を構成する。クラウド基地システムで設定された環境データに基づいて電気ドア・窓及び空調装置を制御し、環境の変化に従って開放、起動しまたは閉鎖、停止することによって、環境温度制御の目的を達成し、室内環境の快適性を確保できるとともに、使用記録をクラウド基地システムに格納・保存することで、いつでも検索することができ、多元的かつ幅広い制御性と操作の利便性を達成する。以上の実施例は本発明の好ましい実施例に過ぎず、本発明の技術範囲を制限するものではない。よって、本発明に基づいた若干の修飾、変更はなお本発明の技術範疇に含めるものとする。
【符号の説明】
【００２７】
１ クラウド基地システム
２ 制御ユニット
３ センサー
３ａ 温度検知センサー
３ｂ 湿度検知センサー
３ｃ 水気検知センサー
３ｄ 空気検知センサー
３ｅ 風速検知センサー
４ 電気ドア・窓
４１ プランジャー
４２ 窓枠
４３ 歯車
４４ モーター
４５ 駆動輪
５ 空調装置
６ 通信装置
７ スマートフォン
【図１】
2016042011.tif 000003
【図２】
2016042011.tif 000004
【図３】
2016042011.tif 000005
【図４】
2016042011.tif 000006